(57)【要約】【課題】  編集前のインデックスデータによるコンテンツデータの検索等を可能な再生装置を提供する。【解決手段】[２]では[１]で登録した「山田○郎」を愛称「山ちゃん」変更し、 [３]では[１]とは別の音楽ＣＤである「山田○郎」の「ＢＢＢ」という音楽ＣＤを登録し、 [４]では[３]で登録した「山田○郎」を省略した名称「山田」に変更し、[５]では[１]，[２]とは別の「山田○郎」の「ＣＣＣ」という音楽ＣＤを登録した。変更前が「山田○郎」、変更後が「山ちゃん」のアーティスト名に対応する音楽ＣＤ名「ＡＡＡ」、変更前が「山田○郎」、変更後が「山田」というアーティスト名に対応する音楽ＣＤ名「ＢＢＢ」に加え、アーティスト名「山田○郎」に対応する音楽ＣＤ名「ＣＣＣ」が内部管理データとして存在する。そのため、変更履歴を辿ることにより、「山ちゃん」と「山田」と「山田○郎」という同一アーティストのＣＤが３枚登録された状態として扱える。【選択図】  図３
2005071501.tif 000002
【特許請求の範囲】
【請求項１】
コンテンツデータと当該コンテンツデータのインデックスデータとを対応させて複数記憶する記憶手段と、
前記記憶手段が記憶する前記複数のコンテンツデータのうち、指定された前記コンテンツデータを再生する再生手段と、
再生するコンテンツデータを指定するための検索単語を入力するための入力手段と、
前記入力手段から入力された検索単語に基づいて前記記憶手段が記憶する前記インデックスデータの中から適合する情報を検索し、その適合したインデックスデータに対応するコンテンツデータを前記再生手段に再生させる制御手段と、
を備える再生装置であって、
さらに、各種指示を受け付ける指示受付手段を備え、
前記制御手段は、
前記指示受付手段によって前記インデックスデータを編集するための編集指示を受け付けた場合、その受け付けた編集指示に基づいてインデックスデータの編集を行うと共に、当該編集前後のインデックスデータの関連付けが可能なように前記記憶手段に記憶させ、
前記編集前後のインデックスデータのいずれをも検索対象とした検索を実行すること
を特徴とする再生装置。
【請求項２】
請求項１に記載の再生装置において、
前記入力手段は、ユーザが発した音声を認識し、その認識  結果から検索に用いる検索単語を選択して入力するよう構成されていることを特徴とする再生装置。
【請求項３】
請求項１又は２に記載の再生装置において、
前記コンテンツデータは、少なくとも楽曲データを含むことを特徴とする再生装置。
【請求項４】
請求項３に記載の再生装置において、
前記インデックスデータは、少なくとも前記楽曲データに対応するアーティスト名を含むことを特徴とする再生装置。
【請求項５】
請求項４に記載の再生装置において、
前記インデックスデータは、複数の楽曲データで構成される楽曲アルバムの名称を含んでおり、
前記制御手段は、前記指示受付手段によってアーティスト名を指定されて、当該アーティスト名に対応するアルバム名をまとめたアルバムリストの作成指示を受け付けた場合、前記指定されたアーティスト名に対応するアルバム名を抽出すると共に、その指定されたアーティスト名が編集後の名称であれば編集前の名称に対応するアルバム名も抽出し、前記アルバムリストを作成すること
を特徴とする再生装置。
【請求項６】
コンピュータを、請求項１〜５の何れかに記載の再生装置の制御手段として機能させるプログラム。
【発明の詳細な説明】
【技術分野】
【０００１】
記憶している複数のコンテンツデータの中から選択されたものを再生可能であり、且つ特にインデックスデータを編集可能な再生装置等に関する。
【背景技術】
【０００２】
近年、音楽ＣＤから楽曲データを吸い出してタイトルや歌手名等のアルバム情報と共にハードディスク等に記憶し、その記憶した楽曲データの中から利用者によって指定された楽曲データを再生する装置が注目を浴びている。なお、アルバム情報については音楽ＣＤに格納されていないので、アルバム情報を含む楽曲データベースを管理するサーバを利用し、例えばインターネット経由でそれらアルバム情報を取得することができるようになっている（例えば、特許文献１参照。）
ところが、多くの楽曲データ（例えば数百〜数千の楽曲データ）の中から利用者が所望の楽曲データを検索して指定することは、利用者にとって大きな負担である。
【０００３】
そこで、アーティスト名をキーとしてアーティスト名毎のアルバムリストを作成するという機能が考えられている。また、アーティスト名称をユーザの好みの名称に編集できるという機能がある。例えばニックネームに変更したり、自分独自の呼び方に変更したりすることができる。これらの２つの機能はそれぞれ有意義な機能である。
【特許文献１】http://support.microsoft.com/default.aspx?scid=kb;ja;418677
【発明の開示】
【発明が解決しようとする課題】
【０００４】
しかし、アーティスト名によるアルバムリスト作成機能は、アーティスト名の文字列を比較することによりアルバムトリストを作成するため、同一アーティストであっても少しでも文字列が異なっていると別アーティストとして認識し、別のアルバムリストを作成してしまうという問題が内在している。
【０００５】
また、アーティスト名編集機能は、編集結果として編集後のデータのみを管理するため、編集前後のデータが共存する場合はそれぞれを完全に別データとして扱ってしまうという問題がある。
【０００６】
上記の２つの問題の結果として、アーティスト名によるアルバムリスト作成機能とアーティスト名編集機能を組み合わせた場合、次のような問題を招来してしまう。つまり、例えば元々は「ＸＸＸ」というアーティスト名称を「ＹＹＹ」または「ＺＺＺ」などに編集した場合、元の「ＸＸＸ」という名称と「ＹＹＹ」または「ＺＺＺ」を同一のアーティスト名と認識することができない。したがって、例えば或るアルバムについては「ＸＸＸ」のままにしてあり、別のアルバムについては「ＹＹＹ」というアーティスト名に編集（変更）し、また別のアルバムについては「ＺＺＺ」というアーティスト名に編集（変更）した場合、実質的には「ＸＸＸ」という一人のアーティストであるにもかかわらず、あたかも別の３人のアーティストが存在するかのように取り扱ってしまい、「ＸＸＸ」「ＹＹＹ」「ＺＺＺ」という複数個のアルバムリストを作成してしまうのである。
【０００７】
また、このようなアルバムリストの作成といった場面だけでなく、例えばアーティスト名を音声入力し、該当するアルバム名や曲名を表示させることを考えた場合には次のような不都合が書得る。つまり、例えば「ＢＢＢ」で登録してあるアルバム名やそのアルバムに含まれる曲名を表示させようと思っても、ユーザが「ＹＹＹ」で登録したことを忘れてしまっていれば、いくら「ＸＸＸ」や「ＺＺＺ」というアーティスト名を入力しても該当するアルバム名等は表示されない。したがって、「ＹＹＹ」で登録したことを思い出し、そのアーティスト名が入力されない限り、該当するアルバム名等を表示させることができないのである。
【０００８】
本発明はこのような問題に鑑みなされたものであり、インデックスデータを編集した場合であっても、編集前のインデックスデータによるコンテンツデータの検索等を可能な再生装置を提供することを目的とする。
【課題を解決するための手段】
【０００９】
本発明の再生装置によれば、記憶手段がコンテンツデータと当該コンテンツデータのインデックスデータとを対応させて複数記憶しており、再生手段が、その記憶されている複数のコンテンツデータのうち、指定されたコンテンツデータを再生することができる。そして、入力手段によって、再生するコンテンツデータを指定するための検索単語が入力されると、制御手段は、その入力された検索単語に基づいて、記憶手段が記憶するインデックスデータの中から適合する情報を検索し、その適合したインデックスデータに対応するコンテンツデータを再生手段に再生させる。
【００１０】
ここで、本発明の再生装置は、さらに、各種指示を受け付ける指示受付手段を備えており、指示受付手段によって前記インデックスデータを編集するための編集指示を受け付けた場合、制御手段は、その受け付けた編集指示に基づいてインデックスデータの編集を行うと共に、当該編集前後のインデックスデータの関連付けが可能なように記憶手段に記憶させる。つまり、従来のように例えば編集前のアーティスト名を削除して編集後のアーティスト名に書き換える（上書き）のではなく、編集前のアーティスト名も残した上で、編集前のアーティスト名と編集後のアーティスト名とが、編集前後の名称であるという関連付けができるようにして記憶しておくのである。そして制御手段は、検索単語が入力された場合、編集前後のインデックスデータのいずれをも検索対象とした検索を実行する。
【００１１】
このように編集前後のインデックスデータを検索対象としているため、例えばアーティスト名を編集した後であっても、編集前のアーティスト名を入力しても検索が可能であり、従来技術にて生じていた不都合を解消できる。
【００１２】
また、入力手段としては、例えばユーザが発した音声を認識し、その認識結果から検索に用いる検索単語を選択して入力するよう構成されていてもよい。特に、再生装置を車両に搭載した場合には有効である。つまり、車両の運転者が前記入力手段を介して入力することを考えると、手操作による入力ではなく音声入力が可能であれば、運転者がハンドル等の運転装置から手を離すことなく音声によって再生装置に指示を与えることができ安全性が高まるため、利用価値が高いからである。
【００１３】
コンテンツデータとしては種々考えられるが、例えば、少なくとも楽曲データを含むようにしてもよい。そして、その場合のインデックスデータとしては、少なくとも楽曲データに対応するアーティスト名を含むことが考えられる。いわゆる音楽ＣＤから楽曲データを読み出してハードディスク等に記憶させる場合などが相当する。もちろん、画像データと楽曲データがセットになったものであってもよい。
【００１４】
このように音楽ＣＤ等のデータをコピーするような場合には、ユーザが自分の好みでアーティスト名を編集したり、あるいはアルバム名を編集したりすることが考えられ、そのような場合に編集前後におけるアーティスト名やアルバム名の同一性を把握できれば、適切な検索ができる。
【００１５】
また、インデックスデータがアーティスト名だけでなく、複数の楽曲データで構成されるアルバムの名称を含んでいる場合には、制御手段が、指示受付手段によってアーティスト名を指定されて、当該アーティスト名に対応するアルバム名をまとめたアルバムリストの作成指示を受け付け、アルバムリストを作成できる機能があると便利である。この場合、従来技術であれば、編集前後のアーティスト名を実質的に同一であると判断できないため、複数のアルバムリストを作成してしまうこととなる。これに対して、制御手段が、指定されたアーティスト名に対応するアルバム名を抽出すると共に、その指定されたアーティスト名が編集後の名称であれば編集前の名称に対応するアルバム名も抽出してアルバムリストを作成するようにすれば、実質的に同一なアーティスト名に対するアルバムリストは一つだけ作成されることとなる。
【００１６】
また、請求項６に記載のプログラムを用いてコンピュータを請求項１〜請求項５の何れかに記載の再生装置の制御手段として機能させるようにしてもよい。
このようなプログラムは、磁気ディスク、光磁気ディスク、メモリカード等のコンピュータが読み取り可能な記録媒体に記録し、必要に応じてコンピュータにロードして起動することにより用いることができる。また、ネットワークを介してロードして起動することにより用いることもできる。したがって、機能アップ等を容易に行うことができる。
【発明を実施するための最良の形態】
【００１７】
以下、本発明が適用された実施例について図面を用いて説明する。尚、本発明の実施の形態は、下記の実施例に何ら限定されることはなく、本発明の技術的範囲に属する限り種々の形態を採りうる。
【００１８】
図１は再生装置の一実施例としてのナビゲーション装置２０の概略構成を示すブロック図である。ナビゲーション装置２０は車両に搭載され、車両の現在位置を検出する位置検出器２１と、ユーザからの各種指示を入力するための操作スイッチ群２２と、各種データを記憶するためのハードディスク２３、ナビゲーション装置２０とは別の装置から情報を入力したり別の装置に情報を出力したりすることが可能な外部情報入出力部２４と、ＣＤ／ＤＶＤドライブ２５と、地図や各種情報の表示を行うための表示部２６と、各種のガイド音声等を出力するための音声出力部２７と、マイクロフォン２８と、上述した位置検出器２１，操作スイッチ群２２，ハードディスク２３，外部情報入出力部２４，ＣＤ／ＤＶＤドライブ２５、マイクロフォン２８からの入力に応じて各種処理を実行し、外部情報入出力部２４，表示部２６，音声出力部２７を制御する制御回路２９と、を備えている。
【００１９】
位置検出器２１は、ＧＰＳ（Global Positioning System）用の人工衛星からの送信電波をＧＰＳアンテナを介して受信し、車両の位置，方位，速度等を検出するＧＰＳ受信機２１ａと、車両に加えられる回転運動の大きさを検出するジャイロスコープ２１ｂと、車両の前後方向の加速度等から走行した距離を検出するための距離センサ２１ｃと、地磁気から進行方位を検出するための地磁気センサ２１ｄとを備えている。そして、これら各センサ等２１ａ〜２１ｄは、各々が性質の異なる誤差を有しているため、互いに補完しながら使用するように構成されている。
【００２０】
操作スイッチ群２２としては、表示部２６と一体に構成され、表示画面上に設置されるタッチパネル及び表示部２６の周囲に設けられたメカニカルなキースイッチ等が用いられる。尚、タッチパネルと表示部２６とは積層一体化されており、タッチパネルには、感圧方式，電磁誘導方式，静電容量方式，あるいはこれらを組み合わせた方式など各種の方式があるが、その何れを用いてもよい。
【００２１】
外部情報入出力部２４は、図示しないアンテナが接続され、そのアンテナを介して図示しないＶＩＣＳセンタから交通情報を受信する。この受信した交通情報は制御回路２９へ送られて案内経路を設定する際等に利用される。また、自動車電話や携帯電話を介してインターネットと接続し、各種情報を取得することができるようにされている。
【００２２】
ＣＤ／ＤＶＤドライブ２５は、図示しないＣＤ−ＲＯＭやＤＶＤ−ＲＯＭに記憶された各種データを入力するための装置である。このＣＤ／ＤＶＤドライブ２５にてデータ入力する対象のＣＤ−ＲＯＭあるいはＤＶＤ−ＲＯＭとしては、例えば地図データ（道路の形状データ、道路の幅員データ、道路の規制データ、地形データ、マークデータ、交差点データ、施設のデータ等）等が記憶されたいわゆる地図ＣＤあるいはＤＶＤや、楽曲データが記憶されたいわゆる音楽ＣＤなどがある。
【００２３】
この音楽ＣＤから読み出された楽曲データは、ハードディスク２３に格納することができる。また、この楽曲データを再生させる場合におけるユーザの選択等を容易にするため、楽曲データをインデックスデータと対応させてハードディスク２３に格納することができる。このインデックスデータとは、アーティスト名称／アルバム名称／ジャンルデータなどである。これらのインデックスデータは、それを管理しているサーバからインターネット経由で取得する。この点については後述する。なお、地図ＣＤあるいはＤＶＤから読み出された地図データや施設ガイド・各種案内のための音声データ等も、このハードディスク２３に記憶させることができる。
【００２４】
表示部２６は、カラー表示装置であり、液晶ディスプレイ，有機ＥＬディスプレイ，ＣＲＴなどがあるが、その何れを用いてもよい。表示部２６の表示画面には、位置検出器２１にて検出した車両の現在位置とＣＤ／ＤＶＤドライブ２５より入力された地図データとから特定した現在地を示すマーク、目的地までの誘導経路、名称、目印、各種施設のマーク等の付加データとを重ねて表示することができる。また、施設のガイド等も表示できる。
【００２５】
音声出力部２７は、ハードディスク２３に記憶された施設のガイドや各種案内の音声データに基づいて制御回路２９が実行する処理の結果としてのガイド音声等を出力することができる。また、ハードディスク２３に記憶された楽曲データに基づいて制御回路２９が再生した楽音信号を出力することができる。
【００２６】
マイクロフォン２８は、利用者が音声を入力（発話）するとその入力した音声に基づく電気信号を出力するものである。利用者はこのマイクロフォン２８に様々な音声を入力することにより、ナビゲーション装置２０を操作することができる。
【００２７】
制御回路２９は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて各種処理を実行する。例えば、位置検出器２１からの各検出信号に基づき座標及び進行方向の組として車両の現在位置を算出し、ハードディスク２３から読み込んだ現在位置付近の地図等を表示部２６に表示する表示処理や、ハードディスク２３に格納された地点データと、操作スイッチ群２２の操作に従って設定された目的地とに基づいて、現在位置から目的地までの最適な経路を算出し、その算出した経路を案内する経路案内処理等を行う。また、操作スイッチ群２２の操作に従って選択された対象となる楽曲データをハードディスク２３から読み出して再生し、再生した楽音信号を音声出力部２７を介して出力させる処理を実行する。
【００２８】
また、制御回路２９は、音楽ＣＤから読み出したＴＯＣ（Table of Contents）情報を元に、外部情報入出力部２４を介してインターネット経由では所定のサーバにアクセスし、該当するインデックスデータを取得する。そして、ハードディスク２３に、楽曲データとインデックスデータとを対応させて記憶する。このインデックスデータは上述のように、アーティスト名称／アルバム名称／ジャンルデータなどであるが、これらのインデックスデータはユーザの操作によって編集可能とされている。つまり、操作スイッチ群２２を操作することによって、例えばアーティスト名を愛称に変更したり省略した名称に変更したりすることができる。個人的に楽しむものであるため、このように自分の好みによってアーティスト名を変更することで、再生させる楽曲データを選択する際に選択が容易になったり、ユーザの趣味性を満足させることができる。また、詳しくは後述するが、例えば複数枚のＣＤアルバムをハードディスク２３に格納した場合には、アーティスト毎のアルバムリストを作成することもできる。このようにすることで、アーティスト名を指定すればそのアーティストに対応する全てのアルバムがリストアップされ、再生対象を選択する際に便利である。
【００２９】
ここまででナビゲーション装置２０の概略構成を説明したが、ナビゲーション装置２０の各部と特許請求の範囲に記載の用語との対応を示しておく。
ハードディスク２３が記憶手段に相当し、操作スイッチ群２２及びマイクロフォン２８が入力手段及び指示受付手段に相当し、制御回路２９が再生手段及び制御手段に相当する。
【００３０】
次に、制御回路２９で実行される処理の内、ナビゲーション関連の処理については説明を省略し、ハードディスク２３に格納された楽曲データのインデックスデータの編集処理に関して、図２〜図５を参照して説明する。ここではアーティスト名称編集機能とアーティスト名毎のアルバムリスト作成機能について説明することとし、各機能の説明に際しては、従来技術の説明を最初に行い、次に本実施例の説明を行い、従来技術との比較で本実施例における各機能の利点を説明していく。
【００３１】
［アーティスト名称編集機能］
（１）まず、従来のアーティスト名称編集について説明する。
従来のアーティスト名称編集機能は、編集結果として編集後のデータのみを管理するため、編集前後のデータに関連付けがなく、編集前後のデータが共存する場合はそれぞれを完全に別データとして扱ってしまう。図２にその例を示した。
【００３２】
例えば、ユーザ操作[１]では、「山田○郎」というアーティストの［ＡＡＡ］という音楽ＣＤを登録した。この場合、表示上の名称は、アーティスト名「山田○郎」でＣＤ名が「ＡＡＡ」である。内部管理データは表示上の名称と同じくアーティスト名「山田○郎」でＣＤ名が「ＡＡＡ」である。この場合の内部管理データの扱いは、「山田○郎」という１人のアーティストの音楽ＣＤが１枚登録されている状態である。
【００３３】
次に、ユーザ操作[２]において、[１]で登録した「山田○郎」を愛称「山ちゃん」変更した。表示上の名称は、アーティスト名「山ちゃん」でＣＤ名が「ＡＡＡ」である。内部管理データは表示上の名称と同じくアーティスト名「山ちゃん」でＣＤ名が「ＡＡＡ」である。この場合の内部管理データは、「山ちゃん」という１人のアーティストの音楽ＣＤが１枚登録されている状態として扱う。
【００３４】
次に、ユーザ操作[３]において、[１]とは別の音楽ＣＤである、「山田○郎」の「ＢＢＢ」という音楽ＣＤを登録した。表示上の名称は、既に登録されているアーティスト名「山ちゃん」、ＣＤ名「ＡＡＡ」に加えて、アーティスト名「山田○郎」、ＣＤ名が「ＢＢＢ」となる。この場合の内部管理データは表示上の名称と同じであり、この内部管理データは、元は同じだが、「山ちゃん」、「山田○郎」という２人のアーティストの音楽ＣＤが２枚登録されている状態として扱う。
【００３５】
次に、ユーザ操作[４]において、[３]で登録した「山田○郎」を省略した名称「山田」に変更した。表示上の名称は、既に登録されているアーティスト名「山ちゃん」、ＣＤ名「ＡＡＡ」に加えて、アーティスト名「山田」、ＣＤ名が「ＢＢＢ」となる。この場合の内部管理データは表示上の名称と同じであり、この内部管理データは、元は同じだが、「山ちゃん」、「山田」という２人のアーティストの音楽ＣＤが２枚登録されている状態として扱う。
【００３６】
次に、ユーザ操作[５]において、[１]，[２]とは別の「山田○郎」の「ＣＣＣ」という音楽ＣＤを登録した。表示上の名称は、既に登録されているアーティスト名「山ちゃん」、ＣＤ名「ＡＡＡ」及びアーティスト名「山田」、ＣＤ名が「ＢＢＢ」に加えて、アーティスト名「山田○郎」、ＣＤ名が「ＣＣＣ」となる。この場合の内部管理データは表示上の名称と同じであり、この内部管理データは、元は同じだが、「山ちゃん」、「山田」、「山田○郎」という３人のアーティストの音楽ＣＤが３枚登録されている状態として扱う。
【００３７】
このように、従来の編集手法の場合には編集後のデータのみを管理するため、編集後のデータが内部管理データとなり、同一アーティストであっても名称変更が行われると、別アーティストとして管理してしまう。つまり、本当は同一アーティストであるにもかかわらず、あたかも「山ちゃん」、「山田」、「山田○郎」という３人のアーティストが存在するかのように扱ってしまう。
【００３８】
（２）次に、本実施例の場合のアーティスト名称編集について説明する。
本実施例におけるアーティスト名称編集機能によれば、編集可能なアーティスト名称の「編集前名称」と「編集後名称」の両方を管理することにより、編集前後のアーティスト名に関連付けを持たせることができる。図３にその例を示した。図３におけるユーザ操作[１]〜[５]は、図２における従来の場合のユーザ操作[１]〜[５]と同じである。
【００３９】
例えば、ユーザ操作[１]では、「山田○郎」というアーティストの［ＡＡＡ］という音楽ＣＤを登録した。この場合、表示上の名称は、アーティスト名「山田○郎」でＣＤ名が「ＡＡＡ」である。内部管理データは表示上の名称と同じくアーティスト名「山田○郎」でＣＤ名が「ＡＡＡ」であるが、この内部管理データのアーティスト名に関しては変更前のアーティスト名と変更後のアーティスト名を全て記憶しておく。この場合は、アーティスト名の変更がないため、変更前のアーティスト名として「山田○郎」が記憶される。この場合の内部管理データは、「山田○郎」という１人のアーティストの音楽ＣＤが１枚登録されている状態として扱う。
【００４０】
次に、ユーザ操作[２]において、[１]で登録した「山田○郎」を愛称「山ちゃん」変更した。表示上の名称は、アーティスト名「山ちゃん」でＣＤ名が「ＡＡＡ」である。内部管理データは、アーティスト名としては、変更前のアーティスト名である「山田○郎」と、変更後のアーティスト名であって表示上の名称でもある「山ちゃん」が共に記憶され、対応する音楽ＣＤ名が「ＡＡＡ」である。この場合の内部管理データは、「山ちゃん」という１人のアーティストの音楽ＣＤが１枚登録されている状態として扱う。
【００４１】
次に、ユーザ操作[３]において、[１]とは別の音楽ＣＤである、「山田○郎」の「ＢＢＢ」という音楽ＣＤを登録した。表示上の名称は、既に登録されているアーティスト名「山ちゃん」、ＣＤ名「ＡＡＡ」に加えて、アーティスト名「山田○郎」、ＣＤ名が「ＢＢＢ」となる。この追加された音楽ＣＤのアーティスト名の「山田○郎」は、内部管理データにおいては変更前のアーティスト名として既に持っている。そのため、アーティスト名の追加は行わず、ＣＤ名として追加された「ＢＢＢ」のみ追加する。つまりＣＤ名としては「ＡＡＡ」と「ＢＢＢ」が共に記憶されることとなる。この内部管理データは、編集前データを辿ることにより、「山ちゃん」と「山田○郎」が同一アーティストだということがわかるため、１人のアーティストのＣＤが２枚登録されている状態として扱う。
【００４２】
次に、ユーザ操作[４]において、[３]で登録した「山田○郎」を省略した名称「山田」に変更した。表示上の名称は、既に登録されているアーティスト名「山ちゃん」、ＣＤ名「ＡＡＡ」に加えて、アーティスト名「山田」、ＣＤ名が「ＢＢＢ」となる。この場合の内部管理データは、アーティスト名としては、変更前のアーティスト名である「山田○郎」は残しながら、変更後のアーティスト名であって表示上の名称でもある「山田」を追加記憶する。つまり、変更後のアーティスト名は「山ちゃん」と「山田」となり、「山ちゃん」に対応する音楽ＣＤ名が「ＡＡＡ」であり、「山田」に対応する音楽ＣＤ名が「ＢＢＢ」となる。この場合の内部管理データは、編集前データを辿ることにより、「山ちゃん」と「山田」が同一アーティストだということがわかるため、１人のアーティストのＣＤが２枚登録されている状態として扱う。
【００４３】
次に、ユーザ操作[５]において、[１]，[２]とは別の「山田○郎」の「ＣＣＣ」という音楽ＣＤを登録した。表示上の名称は、既に登録されているアーティスト名「山ちゃん」、ＣＤ名「ＡＡＡ」及びアーティスト名「山田」、ＣＤ名が「ＢＢＢ」に加えて、アーティスト名「山田○郎」、ＣＤ名が「ＣＣＣ」となる。この場合の内部管理データは、アーティスト名としては、変更前のアーティスト名として「山田○郎」が残っているため、それに対応する音楽ＣＤ名「ＣＣＣ」を追加記憶する。つまり、変更前のアーティスト名が「山田○郎」であり変更後のアーティスト名が「山ちゃん」に対応する音楽ＣＤ名「ＡＡＡ」、変更前のアーティスト名が「山田○郎」であり変更後のアーティスト名が「山田」に対応する音楽ＣＤ名「ＢＢＢ」に加え、アーティスト名「山田○郎」に対応する音楽ＣＤ名「ＣＣＣ」が内部管理データとして存在することとなる。この場合の内部管理データは、編集前データを辿ることにより、「山ちゃん」と「山田」と「山田○郎」が同一アーティストだということがわかるため、１人のアーティストのＣＤが３枚登録されている状態として扱う。
【００４４】
［アーティスト名毎のアルバムリスト作成機能］
（ａ）図２を参照して説明した従来のアーティスト名称編集によって編集された状態でアーティスト名毎のアルバムリストを作成した場合について説明する。
【００４５】
この場合のデータの登録状況は図４の左側に示すようになる。つまり、表示上の名称は、アーティスト名「山ちゃん」に対してＣＤ名「ＡＡＡ」、アーティスト名「山田」に対してＣＤ名「ＢＢＢ」、アーティスト名「山田○郎」に対してＣＤ名「ＣＣＣ」となる。そして、内部管理データも表示上の名称と同じであり、あたかも３人のアーティストに対してそれぞれ対応するＣＤ名があるかのようになっている。そのため、アルバムリスト作成に際しては、内部管理データ中のアーティスト名の文字列を比較することにより同一アーティストであるか否かを判断するため、実質的には同一アーティストであっても、少しでも文字列が異なっていると別アーティストとして認識し、別のアルバムリストを作成してしまう。つまり「山ちゃん」「山田」「山田○郎」というアーティスト名の文字列比較のみであるため、これらは相互に異なっており、別アーティストとして扱われる。その結果、図４の右側に示すように、アーティスト名「山ちゃん」に対してＣＤ名「ＡＡＡ」、アーティスト名「山田」に対してＣＤ名「ＢＢＢ」、アーティスト名「山田○郎」に対してＣＤ名「ＣＣＣ」というアルバムリストが作成されることとなる。
【００４６】
（ｂ）次に、図３を参照して説明した本実施例のアーティスト名称編集によって編集された状態でアーティスト名毎のアルバムリストを作成した場合について説明する。
この場合のデータの登録状況は図５の左側に示すようになる。つまり、表示上の名称は、アーティスト名「山ちゃん」に対してＣＤ名「ＡＡＡ」、アーティスト名「山田」に対してＣＤ名「ＢＢＢ」、アーティスト名「山田○郎」に対してＣＤ名「ＣＣＣ」となるが、内部管理データについては、アーティスト名として、変更前のものとして「山田○郎」が存在し、変更後のものとして「山ちゃん」と「山田」が存在する。そして、「山田○郎」→「山ちゃん」と変更されたアーティスト名に対応するＣＤ名として「ＡＡＡ」、「山田○郎」→「山田」と変更されたアーティスト名に対応するＣＤ名として「ＢＢＢ」、そして「山田○郎」というアーティスト名に対応するＣＤ名として「ＣＣＣ」が存在する。
【００４７】
そして、アルバムリスト作成に際して内部管理データ中のアーティスト名の文字列を比較した場合、このような変更履歴も加味して同一アーティストであるか否かを判断する。すると、ＣＤ名「ＡＡＡ」及び「ＢＢＢ」に対応する変更前のアーティスト名は共に「山田○郎」であり、ＣＤ名「ＣＣＣ」に対応するアーティスト名と同じであり、これら３つのＣＤ名「ＡＡＡ」「ＢＢＢ」「ＣＣＣ」は何れも実質的には同一アーティストによるものであることが判断できる。その結果、図５の右側に示すように、アーティスト名「山田○郎」にＣＤ名「ＡＡＡ」、「ＢＢＢ」及び「ＣＣＣ」が対応するアルバムリストが作成されることとなる。
【００４８】
このように、表示上は異なる名称になっていても、変更履歴を加味することで、変更前は同一アーティスト名称であることが認識でき、ユーザ操作によりアーティスト名称が変更されていても、同一アーティストの音楽ＣＤとして扱え、適切なアルバムリストを作成することができる。したがって、例えば表示部２６にアルバムリストを表示させた場合、アーティスト名「山田○郎」に対応して「ＡＡＡ」、「ＢＢＢ」「ＣＣＣ」という３つの音楽ＣＤ名が表示されることとなる。なお、この表示の際、変更後のアーティスト名を併記するようにしてもよい。つまり、「山田○郎」という変更前の名称と共に、「山ちゃん」及び「山田」という変更後の名称を、例えば括弧付きで併記するのである。
また、アルバムリストが作成されている状態で、操作スイッチ群やあるいはマイクロフォン２８を介してある特定のアーティスト名を指定し、そのアルバムリストのみを表示部に表示させる場合を考える。この場合も、上述した変更履歴を全て考慮することで、例えば「山田○郎」「山ちゃん」「山田」の何れを指定しても、対応する音楽ＣＤ名「ＡＡＡ」、「ＢＢＢ」「ＣＣＣ」を表示部２６に表示させることができる。
【００４９】
なお、図３に示した具体例では、１回のみの編集であるため、変更前のアーティスト名が１つしかないが、例えばＮ回変更されているのであれば、１回変更前のアーティスト名、２回変更前のアーティスト名、……Ｎ回変更前のアーティスト名というように、全ての変更履歴が分かるように内部管理データとして記憶しておけばよい。そして、その全ての履歴を考慮することによって、ユーザがどのようにアーティスト名を変更したとしても、実質的に同一のアーティストに係る音楽ＣＤであるのか否かが判断できる。
【００５０】
以下、他の実施例について説明する。
（１）上記実施例ではインデックスデータの内、アーティスト名称を編集する対象とした場合について説明したが、編集対象としては他のインデックスデータ、例えばアルバム名称であってもよい。
【００５１】
（２）上記実施例では楽曲を再生させる装置について説明したが、楽曲の代わりに動画（例えば映画やプロモーションビデオ等）や、音声（例えば小説を読み上げたものや落語等）や、テキスト（例えば新聞記事や雑誌記事等）を再生（表示）できるようになっていてもよい。このような場合であっても、コンテンツに対するアーティスト名や作者名等をユーザが編集することが考えられるため、上述した場合と同様の効果が得られる。なお、インデックスデータはコンテンツデータに対応して適宜設定することができ、そのようなインデックスデータの内、編集対象となり得るものであれば全て本発明の技術思想を適用することができる。
【００５２】
（３）ユーザがナビゲーション装置２０に対して指示等を入力する際、上記実施例では、操作スイッチ群２２を介した手入力及び、マイクロフォン２８を介した音声入力の何れでも実行できるよう構成されている。これらはいずれか一方の入力方法のみを持つようにしてもよいが、例えば車載装置として運転者がユーザである場合には、音声入力が可能であると便利である。手操作による入力ではなく音声入力が可能であれば、運転者がハンドル等の運転装置から手を離すことなく音声によって指示を与えることができ安全性が高まるからである。
【００５３】
（４）上記実施例では再生装置の一実施例としてのナビゲーション装置２０を例にとって説明したが、ナビゲーション機能を持たず、再生機能を持つ装置として実現することも当然ながら可能である。
【図面の簡単な説明】
【００５４】
【図１】実施例のナビゲーション装置の構成を示すブロック図である。
【図２】従来のアーティスト名称編集機能の説明図である。
【図３】実施例のアーティスト名称編集機能の説明図である。
【図４】従来のアーティスト名毎のアルバムリスト作成機能の説明図である。
【図５】実施例のアーティスト名毎のアルバムリスト作成機能の説明図である。
【符号の説明】
【００５５】
２０…ナビゲーション装置、２１…位置検出器、２１ａ…ＧＰＳ受信機、２１ｂ…ジャイロスコープ、２１ｃ…距離センサ、２１ｄ…地磁気センサ、２２…操作スイッチ群、２３…ハードディスク、２４…外部情報入出力部、２５…ＣＤ／ＤＶＤドライブ、２６…表示部、２７…音声出力部、２８…マイクロフォン、２９…制御回路。
【図１】
2005071501.tif 000003
【図２】
2005071501.tif 000004
【図３】
2005071501.tif 000005
【図４】
2005071501.tif 000006
【図５】
2005071501.tif 000007